(57)【要約】【課題】機能性セラミックがマイナスイオンや遠赤外線を放射する特性、酸化還元反応を促進する触媒作用をもたらす特性等をエネルギーとして取り出し発電することを可能とする。【解決手段】異種金属からなる電極２１，２２と、機能性セラミック３と、を備え、開口穴ＨＯを縦横に形成するよう、複数本の骨材が組まれた非導電性の保持ネット７を電極２１，２２の間に配置すると共に、複数の機能性セラミック３を開口穴ＨＯに規則的に配置する。【選択図】図１２
2020043753.tif 000002
【特許請求の範囲】
【請求項１】
異種金属からなる２つの電極と、
前記電極間に配置した機能性セラミックと、を備え、
前記機能性セラミックの作用で励起されたエネルギーによって前記電極間の電位差が増幅され、前記電極間から電気エネルギーを取り出すことを特徴とする発電装置。
【請求項２】
異種金属からなる２つの電極と、
前記電極間に配置した機能性セラミックと、を備え、
開口穴を縦横に形成するよう、複数本の骨材が組まれてなる非導電性の保持部材を前記２つの電極の間に配置すると共に、
前記開口穴を通過できない寸法を有する複数の前記機能性セラミックが、前記開口穴に規則的に配置されていることを特徴とする発電装置。
【請求項３】
前記機能性セラミックを構成する物質が、遷移金属酸化物、アルカリ土類金属、希土類金属、活性金属、及び特殊貴金属を含むことを特徴とした請求項１または２に記載の発電装置。
【請求項４】
前記機能性セラミックが、マイナスイオンや遠赤外線の高い放射特性を持つセラミック、または強い酸化還元反応をもたらすセラミックから成ることを特徴とする請求項１または２に記載の発電装置。
【請求項５】
前記機能性セラミックは、遷移金属酸化物複合体を中心層とし、アルカリ土類金属、希土類金属、活性金属混合層を２層目とし、特殊貴金属を３層目として焼成された３層構造であり、各層の境界部が混ざり合いながら徐々に物性変化する傾斜型の３層構造であることを特徴とする請求項１または２に記載の発電装置。
【請求項６】
少なくも２つの相対する特定形状の面を持つ電極と、
前記電極に対し該電極と相似形もしくは規則性を持って配列した機能性セラミックと、を備え、
前記機能性セラミックの作用で励起されたエネルギーにより前記２つの電極間に電位差が発生し、前記２つの電極から電気エネルギーを取り出すことを特徴とする発電装置。
【請求項７】
前記機能性セラミックの作用で励起されたエネルギーが、当該セラミック本体からのものに、周囲環境による電磁波エネルギー、熱エネルギー、光エネルギーのいずれか一つ以上が加算されたものであることを特徴とする請求項１または２または６に記載の発電装置。
【発明の詳細な説明】
【技術分野】
【０００１】
本発明は、遷移金属系酸化物を主体とした半導体セラミック技術を用いた発電装置に関する。
【背景技術】
【０００２】
従来から、発電はマグネットとコイル間の電磁誘導によるものが一般的であった。また、小電力発電においては電波を受信して発電するものや、圧電素子を使った振動発電、ペルチェ素子を使った温度差発電等がある。詳細には、マグネットとコイル間の電磁誘導による発電においては、コイルを透過する磁力線を変化させることで電力を誘起するため、マグネットもしくはコイルを回転させ、もしくは相対位置を変位させる必要があり、構造が複雑になり、高価になってしまう。また、電波を利用した発電や振動、温度差発電は容易に発電エネルギーを取り出せるが、大きなエネルギーを取り出すことが難しい。また、セラミックの活性エネルギーを用いて電池の劣化防止を図ることが知られている（例えば、特許文献１参照）。
【先行技術文献】
【特許文献】
【０００３】
【特許文献１】特開平７−５７７８４号公報
【発明の概要】
【発明が解決しようとする課題】
【０００４】
そこで、本発明者らは、単純な構造で、かつ従来の小電力発電と比較してより大きな電力を取り出すことを目的に鋭意研究して、特定構造のセラミック（以下、本明細書では、機能性セラミックと称す）がマイナスイオンや遠赤外線を放射する特性、酸化還元反応を促進する触媒作用をもたらす特性等をエネルギーとして取り出し発電することが可能であると解されることを見出した。
【課題を解決するための手段】
【０００５】
本発明は、上記課題を達成するものであり、異種金属からなる２つの電極と、前記電極間に配置した機能性セラミックと、を備え、前記機能性セラミックの作用で励起されたエネルギーによって前記電極間の電位差が増幅され、前記電極間から電気エネルギーを取り出すことを特徴とする発電装置である。
【０００６】
また、本発明は、異種金属からなる２つの電極と、前記電極間に配置した機能性セラミックと、を備え、開口穴を縦横に形成するよう、複数本の骨材が組まれてなる非導電性の保持部材を前記２つの電極の間に配置すると共に、前記開口穴を通過できない寸法を有する複数の前記機能性セラミックが、前記開口穴に規則的に配置されていることを特徴とする発電装置である。
【０００７】
また、本発明は、少なくも２つの相対する特定形状の面を持つ電極と、前記電極に対し該電極と相似形もしくは規則性を持って配列した機能性セラミックと、を備え、前記機能性セラミックの作用で励起されたエネルギーにより前記２つの電極間に電位差が発生し、前記２つの電極から電気エネルギーを取り出すことを特徴とする発電装置である。
【発明の効果】
【０００８】
本発明によれば、機能性セラミックの作用で励起されたエネルギーによりコイルまたは電極に電位差が発生し、コイルまたは電極から電力を取り出すことができる。さらには、機能性セラミックそのものがもっているエネルギーに、周囲の電磁波エネルギー、熱エネルギー、光エネルギー、振動エネルギー等を電気エネルギーに加算して出力することで、効率良く大きなエネルギーを取り出すことができる。
【図面の簡単な説明】
【０００９】
【図１】本発明の参考例１による発電装置の回路図である。
【図２】同発電装置のコイルと機能性セラミックの配置構成を示す平面図である。
【図３】参考例２による発電装置の回路図である。
【図４】同発電装置のコイルと機能性セラミック部分の平面図である。
【図５】同発電装置の出力を測定したデータを示す図である。
【図６】本発明の実施例１による発電装置の構成図である。
【図７】（ａ）は実施例２による発電装置の斜視図、（ｂ）は同発電装置の断面構成図である。
【図８】（ａ）は実施例３による発電装置の斜視図、（ｂ）は同発電装置における機能性セラミック１列分の構成を示す模式図、（ｃ）は同発電装置の断面構成図である。
【図９】参考例３による発電装置の構成図である。
【図１０】各実施例の発電装置に用いた機能性セラミックの断面構成の模式図である。
【図１１】実施例４による発電装置の概略構成を説明する図である。
【図１２】実施例４による発電装置の構成を説明する図である。
【図１３】実施例４による発電装置の応用例を説明する図である。
【発明を実施するための形態】
【００１０】
（参考例１）
以下、最初に参考例１よる発電装置を、図１及び図２を参照して説明する。図１に示されるように、発電装置１は、特定のパターン形状で形成されたコイル２と、このコイル２に対しコイル２と相似形もしくは規則性を持って配列した機能性セラミック３と、を備える。コイル２は、銅線を用いればよい。機能性セラミック３の作用で励起されたエネルギーをコイル２に反応させることにより、コイル２から電気エネルギーを取り出すことができる。コイル２から電気エネルギーを取り出すために、ダイオードブリッジ回路で成る整流回路４を備える。コイル２の一端２ａ及び他端２ｂが、ダイオードブリッジ回路の中点間に各々接続される。整流回路４のグランド端と正極端との間に電圧負荷５が接続され、整流回路４の出力が電気エネルギーとして取り出される。
【００１１】
コイル２に対する機能性セラミック３の配置は、図２に示されるように、機能性セラミック３の周囲にコイル２が渦状に巻かれ、コイル２の一端２ａを機能性セラミック３の外周に当接又は近接させ、他端２ｂを外周で開放している。
【００１２】
上記構成において、機能性セラミック３からは自由電子等の素粒子が放射されており、その放射エネルギーが直接、コイル２に誘導される出力と、周囲に存在する電磁場の影響を受けて、放射エネルギーが揺らぎ、その揺らぎが加算された出力との２種類が合成した電圧として検出される。すなわち、機能性セラミック３の作用で励起されたセラミック本体からのエネルギーに、周囲環境による電磁波エネルギー、熱エネルギー、光エネルギーのいずれか一つ以上が加算されたものとなる。このような合成電圧を得るために、整流回路４が必要である。
【００１３】
（参考例２）
図３及び図４は、参考例２による発電装置１を示す。この発電装置１は、基板上に配置した渦状の巻き線で成るコイル２と、この渦状のコイル２の巻き線間にコイル２に沿って配置した多数の粒状の機能性セラミック３とを備える。粒状の機能性セラミック３は、直径が例えば数ｍｍである。コイル２の一端２ａは、渦状の巻き線の中心部位から導出され、他端２ｂは、渦状の巻き線の最外周部位から導出される。コイル２の一端２ａ及び他端２ｂの各々が、整流回路４の中点間に接続される。整流回路４の出力端にコンデンサ６及び電圧負荷５が並列に接続され、電力を取り出すようにしている。
【００１４】
このように機能性セラミック３を配置することにより、機能性セラミック３は、自由電子のスピンがエネルギーを集束するための触媒として大きく機能する。コンデンサ６は、本例では２２０μＦとした。この整流回路４の出力を測定したところ、図５に示すデータを取得できた。図５の横軸は時間（ｓｅｃ）、縦軸は出力（ｍＶ）であり、時間経過とともに充電電圧が１．５Ｖまで上昇した。
【００１５】
（実施例１）
図６は、実施例１による発電装置１を示す。発電装置１は、コイル２に替えて、２枚の金属板で成る電極２１及びそれに対向し平行に配置された同形状の電極２２を用いる。本例では、＋の電極２１として銅板を用い、−電極２２としてアルミ板を用いる。＋の電極２１の下方位置には、機能性セラミック３を渦状に配置する。電極２１，２２は、少なくも２つの相対する特定形状の面を持ち、機能性セラミック３は、渦状に配置するものに限られず、規則性を持って配列されたものや、電極と相似形に配置されたものとすればよい。
【００１６】
このような構成とすることにより、機能性セラミック３の作用で励起されたエネルギーにより電極２１，２２間の電位差を増幅させることが可能で、周囲の電磁場の影響を受けずに、直接、機能性セラミック３の放射エネルギーを電気エネルギーとして２つの電極２１，２２から電圧負荷５に取り出すことができる。
【００１７】
（実施例２）
図７は、実施例２による発電装置１を示す。発電装置１は、異種金属からなる２つの電極２１，２２と、電極２１，２２間に配置した機能性セラミック３と、を備え、機能性セラミック３の作用で励起されたエネルギーによって電極２１，２２間の電位差が増幅され、電極２１，２２間から電気エネルギーを取り出す。本例では、異種金属として、電極２１は銅板であり、電極２２はアルミ板である。この異種金属の組み合わせは、素材のイオン化傾向と、励起エネルギーの反応促進作用とにより、銅板で成る電極２１は＋電位に、アルミ板で成る電極２２は−電極に電位差が増幅され、効率良く電気エネルギーを取り出すことができる。
【００１８】
（実施例３）
図８は、実施例３による発電装置１を示す。発電装置１は、上記実施例２における電極２１に替えて銅線２１０を用い、電極２２に替えてアルミ箔２２０を用いている。銅線２１０を芯線として、その長さ方向に沿って周囲に３本の機能性セラミック３０を均等に配置し、それらの外周囲をアルミ箔２２０で覆っている。機能性セラミック３０は、円筒状の保持材内に１列に配置したものを用いている。このような構成により、機能性セラミック３０による励起エネルギーは、異種金属からなる銅線２１０とアルミ箔２２０とに効率良く作用し、銅線２１０は＋電位に、アルミ箔２２０は−電極に電位差が増幅され、銅線線２１０とアルミ箔２２０間から電気エネルギーを取り出すことができる。
【００１９】
（参考例３）
図９は、参考例３による発電装置１を示す。発電装置１は、基板上に渦状にパターン配置した多数の粒状の機能性セラミック３と、この機能性セラミック３のパターン間に相似形で配置した、コイル２に相当する銅線で成るアンテナ２３とを備える。アンテナ２３は、中央部位が開放され、他端部位が直列接続のダイオードで成る整流回路４の中点に接続され、整流回路４の両端から電力を取り出すようにしたものである。
【００２０】
このような構成により、機能性セラミック３は、周囲の電磁場環境の影響を受け易くなり、より効率良く電磁場の揺らぎを加算して、エネルギーを取り出すことができる。さらには、機能性セラミック３の渦状パターンと相似形に配置したアンテナ２３とを複数組、併設し、それらを整流回路４に並列接続することにより、さらに大きなエネルギーを取り出すことも可能となる。
（機能性セラミックの構成）
【００２１】
図１０は、各実施例で用いた粒状の機能性セラミック３（触媒粒）の詳細構成を示す。機能性セラミック３は、中心層として遷移金属酸化物複合体を、２層目として、アルカリ土類金属、希土類金属、活性金属の混合層を、３層目（表層部）として特殊貴金属を、備え、全体が焼成されたものである。各層の構成や働きは以下のようになる。
【００２２】
１）中心層：
例えば、二酸化マンガンと、酸化ニッケルと、酸化コバルトと、酸化銅粉体を、重量比３．５：１：１：１の割合に混合し、バインダー（例えば、７重量％ポリビニルアルコール水溶液）を添加して混合したものを、９００〜１０００℃程度の温度で仮焼成した後、粉砕する。この仮焼成粉末にバインダー（例えば、７重量％ポリビニルアルコール水溶液）を添加し、２〜３ｍｍφ程度のボール状に成形し、１１５０〜１３５０℃程度の温度で焼結して中心層とする。中心層は、表層部の触媒の担体であり、また、自由電子の溜まり場となることにより、自由電子放射の源となる。
【００２３】
２）第２層（中間層）：
例えば、アルミナと、カオリン（他の珪酸塩鉱物でも良い）と、珪炭石の粉体を、重量比１７：１：２の割合に混合した混合物にバインダー（例えば、７重量％ポリビニルアルコール水溶液）を添加して混合したものを、１０５０〜１２００℃程度の温度で仮焼成した後、粉砕する。この仮焼成粉末にバインダー（例えば、７重量％ポリビニルアルコール水溶液）、及び、発泡剤（例えば１２重量％炭酸カルシウム水溶液）を添加してペースト状とし、上記中心層ボール上に１ｍｍ程度の厚みでコーティングする。次いで９００〜１１００℃程度の温度で焼結して、中心層の外側を中間層で覆う。なお、中間層と中心層の境界部は、各層の組成が順次変化する傾斜構造となる。
【００２４】
３）第３層（外層）：
重量比でＰｔ：Ｐｄ：Ｒｈが３：１：１であるＰｔ−Ｐｄ−Ｒｈ合金と、Ａｌ２Ｏ３との等量混合物を、９００℃程度の温度で焼成して混合焼成物を製造する。次にＰｔ−Ｐｄ−Ｒｈ合金とＡｌ２Ｏ３との混合焼成物、Ｍｏ−Ａｌ２Ｏ３触媒（Ｍｏ：Ａｌ２Ｏ３の重量比が１：１）、Ａｌ２Ｏ３担持酸化バナジウム触媒（Ａｌ２Ｏ３：酸化バナジウムの重量比が９：１）、Ａｇ−Ａｌ２Ｏ３触媒（Ａｇ：Ａｌ２Ｏ３の重量比が１：９）及びＬａ０．５−Ｓｒ０．５ＣｏＯ３触媒をそれぞれ等量混合し、７重量％ポリビニルアルコール水溶液及び１２重量％炭酸カルシウム水溶液を添加してペースト状とし、中間層まで焼成した触媒ボール上に１ｍｍ程度の厚みでコーティングした。そして、ＣＯ雰囲気下、６７０℃で焼成することで、本発明の機能性セラミック３が完成する。
【００２５】
機能性セラミック３が、上記のような３層構造を有することにより、中心層の自由電子の外側に向けての放射移動が加速促進され、触媒近傍の空気雰囲気中の自由電子の存在確率を飛躍的に高め、空気核の改質をさらに促進する効果が現れる。このような機能性セラミック３を各実施例の発電装置１に使用することにより、電気エネルギーを効率良く取り出すことができる。また、機能性セラミック３が、マイナスイオンや遠赤外線の高い放射特性を持つセラミック、または強い酸化還元反応をもたらすセラミックから成るものであってもよい。
【００２６】
本発明は、各実施例の構成に限られるものではなく、各種の変形が可能である。例えば、コイル２又は電極２１，２２又はアンテナ２３（これらをコイル等という）と、機能性セラミック３とは、機能性セラミック３からの放射エネルギーがコイル等に作用するような形態であれば、平面的でも立体的でも構わない。また、コイル等と、これに沿って設けた機能性セラミック３とを複数組備えて、各組を整流回路４に並列配置し、各組から整流回路４を経てエネルギーを取り出すようにすれば、より大きいエネルギーを取り出すことができる。
【００２７】
また、各実施例に示したような発電装置１は、駆動コイルが設けられたプリント基板を持つステータと、マグネットを持つロータとを備えたモータに適用することも可能である。この場合、例えば、プリント基板に駆動コイルの他に発電コイルを設け、駆動コイル又は発電コイルに沿って機能性セラミック３を配置することで、機能性セラミック３の触媒作用により、発電エネルギーを効率良く取り出すことができるようになる。
【００２８】
（実施例４）
図１１〜図１２は、実施例４を説明する図である。先ず、図１１には、実施例４に係る発電装置１の概略構成（ａ）と共に、機能性セラミック３と、機能性セラミック３を保持する保持ネット７とを対比的に図示している。次に、図１２（ａ）は、実施例４に係る発電装置１の断面図であり、図１２（ｂ）は、保持ネット７に保持された状態の機能性セラミック３を示している。なお、図１２（ｃ）は、アルミ板で構成された電極板２２（負極）と、銅板で構成された電極板２１（正極）のうち、上側の電極板２１を外した状態を示している。
【００２９】
図１１（ａ）に示す通り、実施例４に係る発電装置１は、電極板２２（負極）と電極板２１（正極）との間を、１０ｍｍ程度に離間させる側壁（周壁）３０の内側に、所定個数の機能性セラミック３〜３を整列配置して構成されている。なお、何ら限定されないが、負極２２は、厚さ１ｍｍ程度のアルミ板で構成され、正極２１は、厚さ１ｍｍ程度の銅板で構成されている。また、この実施例では、直径４〜５ｍｍ程度の球形の機能性セラミックが、例えば、６４個配置されている。
【００３０】
次に、図１１（ｂ）に基づいて、保持ネット７について説明する。図示の保持ネット７は、丸棒状の横骨Ｎ１と縦骨Ｎ２を格子状に一体化させたプラスチック成型品であり、所定の剛性を有して構成され、電極板２２の内面に保持されている（図１２（ａ）参照）。図１１（ｂ）に示す通り、横骨Ｎ１と縦骨Ｎ２とが所定のピッチで直交することで、正方形の開口穴ＨＯを形成している。なお、横骨Ｎ１と縦骨Ｎ２の断面形状は、この実施例では、直径０．５ｍｍ程度の円形である。
【００３１】
図１１（ｃ）に示す通り、実施例の機能性セラミック３は、開口穴ＨＯより大きい４〜５ｍｍ程度の直径を有する球形に形成されている。そして、開口穴ＨＯに一つおきに配置され、開口穴ＨＯの上面に接着剤などで保持される。図１２（ｂ）は、配置状態を示す平面図であり、この実施例では、８×８個の機能性セラミック３が規則的に配置される。
【００３２】
図１２（ａ）は、図１２（ｂ）のＡ−Ａ線で切断した概略断面図である。図１２（ａ）に示す通り、機能性セラミック３は、電極板２２及び電極板２１に非接触の状態で、非導電性の保持ネット７に保持されている。また、電極板２１の周辺に、４枚のプラスチック製の側壁３０が立設されることで、矩形状の周壁３０が形成されている。そして、整列状態の機能性セラミック３の全体を覆うよう、箱型形状に形成されたプラスチック箱３１が被せられ、プラスチック箱３１のフランジ辺Ｆが電極板２２に固定されている。なお、図１２（ｃ）は、この半完成状態を示している。
【００３３】
次に、図１２（ｃ）の半完成状態において、プラスチック箱３１の外側に、粉状の充填材３２が配置される。充填材３２は、天然物由来のカーボン粉末を主成分としており、好適には、木材を炭化して得られる木炭の粉末を主成分とし、これに、木炭の製造工程で得られる乾留駅などの副産物その他が適宜に混合されて構成されている。木炭の材料としては、ナラ、ブナ、カシ、クヌギなどが好適に使用されるが、これらに代えて竹を使用しても良い。
【００３４】
そして、最後に、４枚の側壁３０に、電極板２１を接着することで、第４実施例の発電装置１が完成する。この実施例でも、アルミ電極２２を負極とし、銅電極２１を正極として、１．０〜１．５Ｖ程度の電圧が継続的に発生することを確認している。なお、両電極２１，２２を短絡させても、数秒後には、同じ電圧が発生するので、単なる静電気の帯電とは異なる発電であると解される。
【００３５】
したがって、本発明は、事実上入力ゼロで発電し続けるエネルギー源と言うことができ、シンプルな構造で故障しにくく耐久性が高く、且つ、発火の危険性がなく安全なエネルギー源と評価されるべきである。
【００３６】
また、直列接続により電圧を上げることができ、並列接続により電流を増加させることができる。具体的には、例えば、２個の発電装置１，１を直列接続して一体化すれば、出力電圧２Ｖ以上の電池セルＣｅｌｌを実現することができる。そして、図１３（ａ）に示すように、複数の電池セルＣｅｌｌを並列接続すれば、例えば、蓄電池などを充電することもできる。このような構成を採ることで、やや大型の発電装置１から、所望サイズの小型の蓄電池に電気エネルギーを移送することができ、発電エネルギーの利用性が高まる。
【００３７】
また、図１３（ｂ）に示すように、出力電圧Ｖｏの電池セルＣｅｌｌを、高さ方向にｎ個直列接続して出力電圧をｎＶｏに増加させると共に、各電池セルＣｅｌｌを互いに横方向に並列接続して電池ボックスを完成させるのも好適である。この場合には、複数段階の出力電圧（Ｖｏ，２Ｖｏ，３Ｖｏ，・・・，ｎＶｏ）のうち、所望の出力電圧を利用することができ、且つ、十分な出力電流を得ることができる。なお、請求項でいう機能性セラミックは、上記構成のものに限られず、通常の機能性セラミックをも含む。
【００３８】
なお、以上の発明について、本発明者の見解は、以下の通りである。
１．大気中には窒素７８、酸素２１、ガス１、種々の電磁波、気圧と光すなわち可視光線と人類は波長の異なる多くの電磁波を浴びて生活をしている。大気中にある物質は総て原子核から構成され原子の集合体であり、お互いに反発したり融合したりしている。
【００３９】
２．大気中の空気層はまるで意識を持っているように、安定した晴天の日、雨の日、台風、暴風雨の姿を演出し表現している。この空気層を人工的な要素（ばい煙等）で変化をさせた場合でも元の空気層に戻してしまう自然の法則力が働き、意識的な意図がはっきりと感じられる程、元の姿に戻してしまう。すなわち、大気中の空気層の要素は自然の法則上不変である。
【００４０】
３．私達はその自然の中の赤外線に注目した。大気中の遠赤外線は電磁波の一種であり、その電磁波に一つの光がある。そして赤外線は光の中で熱作用の強い放射線でもある。物体（被造物）は絶対零度で無い限り、どんなものでも赤外線を放射しているといわれている。赤外線中の放射線の自由電子と、異種金属の２枚電極内にあるセラミックボール（傾斜型３層構造）の中心層の自由電子と反応させ、電子の運動すなわち放射移動によって電極板に帯電させ、発電する仕組みを考えた。原子が反応している部分は、セラミックボールの中心で反応が起きて陽電荷を持つプラズマを放出し、負極が電磁力で帯電する方法である。
【００４１】
４．発電は、大気中の空気層と三層構造を持つセラミックボールが骨格となり赤外線の電子と反応し、プラズマ放出で励起させ、電極板にマイナス電圧を帯電させる。マイナスの電圧が多く帯電すると、電極板の原子価の違いにより一方がプラスに帯電する。帯電することで電場が発生し、電流が流れ出し収束発電が出来あがる。発電内のセラミックボールは発電の骨格であり電極板内には自然物由来のカーボンその他で構成された媒体で保護保全され、発生した電圧を守る手法を採用している。開発の収束発電装置は、大気中に有る赤外線の自由電子とセラミックボールにある自由電子を反応させるため、少ない入力エネルギーで、大きな出力が得られる。
【００４２】
収束発電した電力は、形状容量の全消費をした後、１０秒以内に回復し再度使用でき、また蓄電器と組み合わせする事で多様化に対応している。収束発電装置は発火の危険性が無く、シンプルな構造で耐久性が高く、発電を常時行い続け、５０〜１００年程度は仕様材料の経年変化に伴う劣化以外は発電能力に関係なく、顕著な効果が得られる。
【符号の説明】
【００４３】
１  発電装置
２  コイル
２１，２２  電極
２１０  銅線
２２０  アルミ箔
２３  アンテナ
３，３０  機能性セラミック
４  整流回路
５  電圧負荷
７  保持ネット(保持部材)
ＨＯ  開口穴
【図１】
2020043753.tif 000003
【図２】
2020043753.tif 000004
【図３】
2020043753.tif 000005
【図４】
2020043753.tif 000006
【図５】
2020043753.tif 000007
【図６】
2020043753.tif 000008
【図７】
2020043753.tif 000009
【図８】
2020043753.tif 000010
【図９】
2020043753.tif 000011
【図１０】
2020043753.tif 000012
【図１１】
2020043753.tif 000013
【図１２】
2020043753.tif 000014
【図１３】
2020043753.tif 000015